(57)【要約】      （修正有）【課題】輸送に適し、廃棄物の置いてある場所で、破砕分別処理できる装置を提供する。【解決手段】コンテナ１に廃棄物の投入口２を設けると共に投入口を蓋３で開閉可能に設け、コンテナ内には廃棄物の破砕機４を投入口の下方に配置し、破砕機から送り出された破砕物をコンテナ内の風力選別機６で軽量物と重量物に分別し、重量物をコンテナ内の磁選機１０，１２，１４に通して磁性材、非金属、非磁性金属に分別することを特徴とするトラックコンテナ用廃棄物処理装置。コンテナ内を区画する仕切り１８によって、破砕機４と風力選別機６を別々の部屋に収容し、破砕機が収容される部屋を密閉可能に設けてある。【選択図】図１
2007136383.tif 000002
【特許請求の範囲】
【請求項１】
コンテナ（１）に廃棄物の投入口（２）を設けると共に投入口を蓋（３）で開閉可能に設け、コンテナ内には廃棄物の破砕機（４）を投入口の下方に配置し、破砕機から送り出された破砕物をコンテナ内の風力選別機（６）で軽量物と重量物に分別し、重量物をコンテナ内の磁選機（１０，１２，１４）に通して磁性材、非金属、非磁性金属に分別することを特徴とするトラックコンテナ用廃棄物処理装置。
【請求項２】
コンテナ（１）内を区画する仕切り（１８）によって、破砕機（４）と風力選別機（６）を別々の部屋に収容し、破砕機（４）が収容される部屋を密閉可能に設けてあることを特徴とする請求項１記載のトラックコンテナ用廃棄物処理装置。
【発明の詳細な説明】
【技術分野】
【０００１】
本発明は、廃棄物の設置現場へ移動してその場で廃棄物を破砕分別することのできるトラックコンテナ用廃棄物処理装置に関する。
【背景技術】
【０００２】
廃棄物を破砕分別する処理装置としては、郊外等に構築する大型のものは存在する。ところが、廃棄物の種類によっては設置現場への輸送費を払うぐらいであれば、破砕分別することなくそのまま現場に廃棄物を置いておく方が良いと考える場合がある。また、家屋などのように輸送に適さず、その場で建材を破砕せざるを得ないものも存在する。
【発明の開示】
【発明が解決しようとする課題】
【０００３】
本発明は、上記実情を考慮して開発されたもので、その目的は、廃棄物の置いてあるその場所で少なくとも破砕分別処理できる装置を提供することである。
【課題を解決するための手段】
【０００４】
そこで、本発明者は移動機能と機器収容機能を兼備するトラックに着目し、トラックのコンテナに破砕や分別の機器を搭載すれば良いと考えた。
【０００５】
上記思想に基づいて本発明は創作された。即ち、請求項１の発明は、コンテナに廃棄物の投入口を設けると共に投入口を蓋で開閉可能に設け、コンテナ内には廃棄物の破砕機を投入口の下方に配置し、破砕機から送り出された破砕物をコンテナ内の風力選別機で軽量物と重量物に分別し、重量物をコンテナ内の磁選機に通して磁性材、非金属、非磁性金属に分別することを特徴とする。
【０００６】
また、コンテナ内を一つの大きな部屋として用いても良いが、破砕の際の危険が周囲に拡大しないようにするには、請求項２の発明のように、コンテナ内を区画する仕切によって、破砕機と風力選別機を別々の部屋に収容し、破砕機が収容される部屋を密閉可能に設けることが望ましい。
【発明の効果】
【０００７】
本発明は、トラックコンテナに破砕分別する機器を搭載してあるので、廃棄物の置いてある場所へ出向いて破砕分別処理でき、有用である。また、分別処理も、軽量物、磁性材、非金属、非磁性金属に分別できる。
【０００８】
また、破砕の際には有害ガスの発生や爆発の危険性もあるので、破砕機が収容される部屋を密閉室にして破砕すれば、風力選別機の部屋側への有害ガスの拡散を予防できるし、安全性の向上を図れる。
【発明を実施するための最良の形態】
【０００９】
本発明の自動車コンテナ用廃棄物処理装置は図１又は図２に示すように、コンテナ１の後方上部に投入口２をあけ、投入口２を密閉用の蓋３で開閉可能に設けてある。地上からコンベア等の引き上げ機を用いて廃棄物を投入口２へ落とし込む。投入口２の下方に破砕機４を配置し、破砕機４を通して廃棄物を破砕する。破砕物を第一搬送コンベア５で前方上側に向かって移動して、第一搬送コンベア５の末端で風力選別機６に送り込み、風力選別機６で軽量物と重量物に分別し、風力で浮いた軽量物を第一搬送コンベア５の前側の側方に配置したサイクロン７に投入し、軽量物のうちフィルム等をサイクロン７の下部から回収し、サイクロン７の上部から放出される気体を、サイクロン７の後側に配置したダストフィルタ８に通して埃を回収すると共に回収されなかった気体をコンテナ１外に放出する。
【００１０】
重量物は風力選別機６内を通過して第二搬送コンベア９上に落下する。前方上側に向かって傾斜する第二搬送コンベア９の途中に配置したオーバーベルト式の磁選機１０によって、重量物の中でも形状の比較的大きな鉄片等の磁性材を吸引し、第二搬送コンベア９の進行方向から外れた箇所（側方）に移送し、排出シュート１１を経てコンテナ１外に回収する。搬送コンベア９はオーバーベルト式磁選機１０よりも前方に、吸引されなかった重量物を送る。第二搬送コンベア９の前方下側にはドラム式磁選機１２を配置し、ドラム式磁選機１２によって細破片の磁性材と非磁性材を分別し、磁性材については排出シュート１３を経てコンテナ１外に排出する。一方、非磁性材についてはそのままドラム式磁選機１２の下方に自由落下させて渦電流式磁選機１４の上に落とす。渦電流式の磁選機１４では、ドラム式磁選機１２で取り残した砂鉄等の磁性材を吸引し、非金属をそのまま自由落下し、アルミ等の非磁性金属については近傍箇所に飛ばして、それぞれ別々の排出シュート１５，１６，１７を経てコンテナ１外に回収する。
【００１１】
コンテナ１は金属製の細長い箱型で、破砕機４の設置箇所と風力選別機６の設置箇所を仕切り１８によって別々の部屋に区画しており、仕切り１８には第一搬送コンベア５を通す抜穴１９をあけてある。第一搬送コンベア５は、例えばベルト式又はスクリュー式コンベアを用い、コンベア本体の外側を筒状のケーシング２０で包囲しており、ケーシング２０を抜穴１９に隙間なく通してある。なお、コンテナ１は図示しないが例えばゴム製のパッキングを用いて、蓋３を閉めた投入口２を密閉する。
【００１２】
破砕機４は図３に示すように有底筒形の容器２１の底部の中心に下方から回転軸２２を内部に突入すると共に図示しないベアリング等で回転可能に支持し、動力で回る回転軸２２の先部に可撓性のある線状体（鎖等）２３の一端部を固定してある。容器２１の上端の受入れ口２４には閉鎖板２５を開閉可能に設けると共に、容器２１の高さ中間部には２枚の中蓋２６を近接して開閉可能に支持し、２枚の中蓋２６を閉鎖した水平な状態でその上下を区画してある。中蓋２６を水平状態としてその上に廃棄物を一時的に保持し、中蓋２６を下方に向かって傾けて開くことによって、廃棄物を線状体２３の先部側に落下させ、線状体２３の遠心力を効率よく利用して廃棄物を破砕する。破砕する際に爆発や有害ガスの発生を予防するため、不活性ガス（窒素ガス）を容器２１内に送り込み、容器２１外にガスを導いて破砕時に発生する主にフロンガスを回収するが、図２に示すように不活性ガス発生器２７及びガス回収器２８は別のコンテナに搭載し、着脱可能なホースにより容器２１との接続を行うものとする。別のコンテナには破砕機等の各種機器の駆動用電源も搭載しておくものとする。ガス回収器２８としては例えば取り込んだガスをコンプレッサーで圧縮して冷却し、液化したものを回収し、液化しなかったガス（窒素等）を大気に放出する。また、図３に示すように容器２１の下部には排出口２９があけてあり、排出口２９をシャッター３０で開閉可能としてあり、線状体２３の回転による衝撃で排出口２９から破砕物を送り出して第一搬送コンベア５に投入する。第一搬送コンベア５で送られた破砕物は、風力選別機６に投入される。
【００１３】
風力選別機６は図４に示すように、上下方向に貫通する主筒３１の途中にジグザクに屈曲する遅延部３２を設けると共に、遅延部３２の下部に合流用の連絡穴３３をあけ、連絡穴３３からジグザグの補助筒３４を、遅延部３２に沿って上方に屈曲して設けてある。従って、主筒３１の上から投入された破砕物は、遅延部３２で落下スピードが落ち、補助筒３４の上側（ダストフィルタ８の二次側の送風機３５（図２参照））から空気を吸引することによって軽量物を補助筒３４内に導き、そのままダクト３６を経てサイクロン７に軽量物を送り込む。一方、重量物は主筒３１をそのまま落下して第二搬送コンベア９の上に落ち、オーバーベルト式磁選機１０、ドラム式磁選機１２に順次送られる。
【００１４】
サイクロン７は遠心力集塵装置であるので、図２に示すようにその遠心力を利用してフィルム等の軽量物を円錐部３７の下側に集中し、円錐部３７の下方の通路内に有する放射状の回転羽根３８によってフィルム等を排出シュート３９に送り出してコンテナ１外に回収し、円錐部３７の上方から気体をダクト４０を経てダストフィルタ８に送り出す。
【００１５】
ダストフィルタ８は図２に示すように、気体の通過を遅らせるために流路を屈曲したもので、底側に溜まった埃を、サイクロン７と同様の手法でコンテナ１外に回収し、埃のない清潔な気体を送風機３５の風力及びダクト４１を利用してコンテナ１外に排出する。
【００１６】
オーバーベルト式磁選機１０は図５に示すように第二搬送コンベア９の途中上方に、コンベア進行方向に対して直角方向に吊り下げてあり、対向するプーリー４２，４３にスクレーパーベルト４４を巻き渡し、スクレーパーベルト４４内にマグネット４５を移動不能に保持し、スクレーパーベルト４４に重量物のうち鉄片等の大型の磁性材を吸引させ、スクレーパーベルト４４の進行に伴って磁性材がマグネット４５を通過して磁力を失うと自由落下して、図１に示すように排出シュート１１を経てコンテナ１外に排出されて回収される。重量物の残りは第二搬送コンベア９の末端から落下してドラム式磁選機１２に送られる。
【００１７】
ドラム式磁選機１２は図６に示すように、回転するドラム４６内に隙間をあけてマグネット４７を回転不能に支持したもので、マグネット４７を第二搬送コンベア９の進行方向側に側面視半円状に配置してある。第二搬送コンベア９からドラム４６上に落下してきた重量物の残りのうち、オーバーベルト式磁選機１０で取りきれなかった細片の磁性材をマグネット４７でドラム４６に吸引させ、ドラム４６の回転に伴って磁性材がマグネット４７を通過して磁力を失うと自由落下して図１に示すように排出シュート１３を経てコンテナ１外に排出される。一方、非磁性材や細かい粉末状の磁性材はドラム４６に沿って自由落下してその下に配置した渦電流式磁選機１４の上に投入される。
【００１８】
渦電流式磁選機１４は図７に示すように外部ドラム４８内にＮ極とＳ極を交互に配したマグネットドラム４９を回転可能に支持し、複数のプーリー５０，５１及び外部ドラム４８にベルト５２を巻き渡し、ベルト５２を駆動用モータＭ１で回して移動させながら、マグネットドラム４９を別の駆動用モータＭ２で高速回転させるものである。取りきれなかった磁性材はマグネットドラム４９によってベルト５２に吸いついて磁力がなくなる所で落下する。非金属は外部ドラム４８からそのまま自然と落下する。非磁性金属（アルミ、銅等）はマグネットドラム４９の回転により生ずる渦電流によって反発してベルト進行方向前方に飛び出す。磁性材、非金属、非磁性金属は図１に示すようにそれぞれ別個の排出シュート１５，１６，１７を経てコンテナ１外に送られ回収される。
【００１９】
上述した破砕機等の各種機器は図１に示すようにコンテナ１内の渦電流式磁選機１４の側方に設置したコントロールパネル５３を操作して駆動する。上述した実施形態では、不活性ガスを用いて破砕機４で廃棄物を破砕しているので破砕中の爆発を予防することもでき、しかも、ガス回収器２８で有害な気体（例えばフロン）が大気に放出されるのを予防している。また、投入口２の蓋３を閉めて破砕すれば、破砕機４を設置した部屋を密閉室にできるので、安全性が一段と向上する。
【図面の簡単な説明】
【００２０】
【図１】トラックコンテナ用廃棄物処理装置の概略を示す斜視図である。
【図２】トラックコンテナ用廃棄物処理装置の処理手順を示す説明図である。
【図３】破砕機を示す断面図である。
【図４】風力選別機を示す断面図である。
【図５】（イ）（ロ）図はオーバーベルト式磁選機を示す正面図、側面図である。
【図６】ドラム式磁選機を示す説明図である。
【図７】渦電流式磁選機を示す説明図である。
【符号の説明】
【００２１】
１  コンテナ、  ２  投入口、  ３  蓋、  ４  破砕機、  ５  第一搬送コンベア、  ６  風力選別機、  ７  サイクロン、  ８  ダストフィルタ、  ９  第二搬送コンベア、  １０  磁選機（オーバーベルト式）、  １１  排出シュート、  １２  磁選機（ドラム式）、  １３  排出シュート、  １４  磁選機（渦電流式）、  １５  排出シュート、  １６  排出シュート、  １７  排出シュート、  １８  仕切り、  １９  抜穴、  ２０  ケーシング、  ２１  容器、  ２２  回転軸、  ２３  線状体、  ２４  受入れ口、  ２５  閉鎖板、  ２６  中蓋、  ２７  不活性ガス発生器、  ２８  ガス回収器、  ２９  排出口、  ３０  シャッター、  ３１  主筒、  ３２  遅延部、  ３３  連絡穴、  ３４  補助筒、  ３５  送風機、  ３６  ダクト、  ３７  円錐部、  ３８  回転羽根、  ３９  排出シュート、  ４０  ダクト、  ４１  ダクト、  ４２  プーリー、  ４３  プーリー、  ４４  スクレーパーベルト、  ４５  マグネット、  ４６  ドラム、  ４７  マグネット、  ４８  外部ドラム、  ４９  マグネットドラム、  ５０  プーリー、  ５１  プーリー、  ５２  ベルト、  ５３  コントロールパネル
【図１】
2007136383.tif 000003
【図２】
2007136383.tif 000004
【図３】
2007136383.tif 000005
【図４】
2007136383.tif 000006
【図５】
2007136383.tif 000007
【図６】
2007136383.tif 000008
【図７】
2007136383.tif 000009